(57)【要約】【課題】映像中に暗いエリアが存在する場合に、映像の表示エリアを変化させることで、来訪者等を見やすくする機能を有するインターホン装置を提供する。【解決手段】インターホン親機３の映像処理部１９では、受信した映像の所定の４点Ｐ１〜Ｐ４におけるＲ、Ｇ、Ｂの値（明度）を夫々検出し、各点Ｐ１〜Ｐ４におけるＲ、Ｇ、Ｂ各値が全て１５以下であるかを確認する。そして、当該確認の結果、４点Ｐ１〜Ｐ４全てにおけるＲ、Ｇ、Ｂ各値が１５以下であった場合、映像処理部１９は、映像の中央部分を表示エリアとして設定し、当該表示エリアをモニター１５に拡大表示する。【選択図】図２
2010130334.tif 000002
【特許請求の範囲】
【請求項１】
玄関等に設置され、居住者を呼び出すためのインターホン子機と、居室内等に設置され、前記インターホン子機と通話可能に接続されたインターホン親機とからなり、前記インターホン子機に、来訪者を撮像するための撮像手段を設ける一方、前記インターホン親機に、前記撮像手段が撮像した映像のうち少なくとも一部のエリアを表示するための表示手段を設けたインターホン装置であって、
前記インターホン子機又は前記インターホン親機に、前記映像の少なくとも１箇所の明度を検出するとともに、当該明度が所定の閾値以下である場合に、前記表示手段に表示させる前記映像のエリアを変化させる映像処理手段を設けたことを特徴とするインターホン装置。
【請求項２】
玄関等に設置され、居住者を呼び出すためのインターホン子機と、居室内等に設置され、前記インターホン子機と通話可能に接続されたインターホン親機とからなり、前記インターホン子機に、来訪者を撮像するための撮像手段を設ける一方、前記インターホン親機に、前記撮像手段が撮像した映像を録画する録画手段、及び前記録画手段に録画された前記映像のうち少なくとも一部のエリアを表示するための表示手段を設けたインターホン装置であって、
前記インターホン親機に、前記映像の少なくとも１箇所の明度を検出するとともに、当該明度が所定の閾値以下である場合に、前記表示手段に表示させる前記映像のエリアを変化させる映像処理手段を設けたことを特徴とするインターホン装置。
【請求項３】
前記インターホン子機に、前記撮像手段による撮像範囲を照らす照明手段を設ける一方、
前記映像処理手段は、前記映像の４箇所において明度を検出するとともに、全ての検出点における前記明度が所定の閾値以下である場合に、前記映像のうち前記検出点に囲まれたエリアを拡大して表示することを特徴とする請求項１又は２に記載のインターホン装置。
【請求項４】
前記映像処理手段は、前記映像の複数箇所の明度を検出するとともに、前記明度の合計値又は平均値が所定の閾値以下となる場合に、前記表示手段に表示させる前記映像のエリアを変化させることを特徴とする請求項１又は２に記載のインターホン装置。
【請求項５】
前記カメラが、広角撮像可能なレンズを有している一方、
前記映像処理手段が、前記映像の複数箇所の明度を検出するとともに、検出点同士で前記明度を比較し、前記明度が所定の閾値以下であるか否かに加え、前記明度の比較結果にもとづき、電子パンチルト制御により前記表示手段に表示させる前記映像のエリアを変化させることを特徴とする請求項１又は２に記載のインターホン装置。
【請求項６】
玄関等に設置され、居住者を呼び出すためのインターホン子機と、居室内等に設置され、前記インターホン子機と通話可能に接続されたインターホン親機とからなり、前記インターホン子機に、来訪者を撮像するための撮像手段を設ける一方、前記インターホン親機に、前記撮像手段が撮像した映像を表示するための表示手段を設けたインターホン装置であって、
前記インターホン親機に、前記映像のうち少なくとも一部のエリアを録画する録画手段を設ける一方、
前記インターホン子機又は前記インターホン親機に、前記映像の少なくとも１箇所の明度を検出するとともに、当該明度が所定の閾値以下である場合に、前記録画手段に録画させる前記映像のエリアを変化させる映像処理手段を設けたことを特徴とするインターホン装置。
【請求項７】
前記インターホン子機に、前記撮像手段による撮像範囲を照らす照明手段を設ける一方、
前記映像処理手段は、前記映像の４箇所において明度を検出するとともに、全ての検出点における前記明度が所定の閾値以下である場合に、前記映像のうち前記検出点に囲まれたエリアのみを録画することを特徴とする請求項６に記載のインターホン装置。
【請求項８】
前記映像処理手段は、前記映像の複数箇所の明度を検出するとともに、前記明度の合計値又は平均値が所定の閾値以下となる場合に、前記録画手段に録画する前記映像のエリアを変化させることを特徴とする請求項６に記載のインターホン装置。
【請求項９】
前記カメラが、広角撮像可能なレンズを有している一方、
前記映像処理手段が、前記映像の複数箇所の明度を検出するとともに、検出点同士で前記明度を比較し、前記明度が所定の閾値以下であるか否かに加え、前記明度の比較結果にもとづき、電子パンチルト制御により前記録画手段に録画する前記映像のエリアを変化させることを特徴とする請求項６に記載のインターホン装置。
【発明の詳細な説明】
【技術分野】
【０００１】
本発明は、カメラを内蔵したインターホン子機と、カメラにより撮像された映像をモニターに表示するインターホン親機とを通話可能に接続してなるインターホン装置に関するものである。
【背景技術】
【０００２】
従来、カメラを内蔵したインターホン子機と、カメラにより撮像された映像をモニターに表示するインターホン親機とを通話可能に接続してなる一般的なインターホン装置としては、たとえば特許文献１に開示されているようなものがある。また、インターホン子機に白色ＬＥＤ等の夜間照明部を設け、夜間等であっても映像をモニターで視認可能としたものも考案されている。
【０００３】
【特許文献１】特開２００６−１０１３２７号公報
【発明の開示】
【発明が解決しようとする課題】
【０００４】
しかしながら、夜間照明部により撮像範囲を照らしたとしても、撮像範囲の中央部分は明るくなるものの、周囲までは十分に照らされないため、モニターに表示される映像の台分が暗い状態のままとなってしまい、たとえば来訪者等が識別しづらいといった問題がある。また、映像を録画する機能を有するインターホン装置については、録画についても同様のことがいえ、録画映像を再生しても誰が写っているのか判別できないこともある。さらに、カメラが魚眼レンズ等の広角撮像可能なレンズを有している場合、上記問題はより顕著となる。
【０００５】
そこで、本発明は、上記問題に鑑みなされたものであって、映像中に暗いエリアが存在する場合に、映像の表示態様を変化させることで、来訪者等を見やすくする機能を有するインターホン装置を提供しようとするものである。
【課題を解決するための手段】
【０００６】
上記目的を達成するために、本発明のうち請求項１に記載の発明は、玄関等に設置され、居住者を呼び出すためのインターホン子機と、居室内等に設置され、インターホン子機と通話可能に接続されたインターホン親機とからなり、インターホン子機に、来訪者を撮像するための撮像手段を設ける一方、インターホン親機に、撮像手段が撮像した映像のうち少なくとも一部のエリアを表示するための表示手段を設けたインターホン装置であって、インターホン子機又はインターホン親機に、映像の少なくとも１箇所の明度を検出するとともに、当該明度が所定の閾値以下である場合に、表示手段に表示させる映像のエリアを変化させる映像処理手段を設けたことを特徴とする。
この構成によれば、映像処理手段が、映像の少なくとも１箇所の明度を検出するとともに、当該明度が所定の閾値以下である場合に、表示手段に表示させる映像のエリアを変化させるため、夜間等の周囲が暗いような場合でも、表示手段に表示される映像の視認性を向上することができる。
【０００７】
また、上記目的を達成するために、本発明のうち請求項２に記載の発明は、玄関等に設置され、居住者を呼び出すためのインターホン子機と、居室内等に設置され、インターホン子機と通話可能に接続されたインターホン親機とからなり、インターホン子機に、来訪者を撮像するための撮像手段を設ける一方、インターホン親機に、撮像手段が撮像した映像を録画する録画手段、及び録画手段に録画された映像のうち少なくとも一部のエリアを表示するための表示手段を設けたインターホン装置であって、インターホン親機に、映像の少なくとも１箇所の明度を検出するとともに、当該明度が所定の閾値以下である場合に、表示手段に表示させる映像のエリアを変化させる映像処理手段を設けたことを特徴とする。
この構成によれば、映像処理手段が、映像の少なくとも１箇所の明度を検出するとともに、当該明度が所定の閾値以下である場合に、表示手段に表示させる映像のエリアを変化させるため、夜間等の周囲が暗いような場合でも表示手段に表示される映像の視認性を向上することができる。
【０００８】
請求項３に記載の発明は、請求項１又は２に記載の発明において、インターホン子機に、撮像手段による撮像範囲を照らす照明手段を設ける一方、映像処理手段は、映像の４箇所において明度を検出するとともに、全ての検出点における明度が所定の閾値以下である場合に、映像のうち検出点に囲まれたエリアを拡大して表示することを特徴とする。
この構成によれば、映像処理手段が、映像の４箇所において明度を検出するとともに、全ての検出点における明度が所定の閾値以下である場合に、映像のうち検出点に囲まれたエリア、すなわち照明手段により十分に照らされている可能性が高いエリアを拡大して表示するため、映像の視認性をより向上することができる。
【０００９】
請求項４に記載の発明は、請求項１又は２に記載の発明において、映像処理手段は、映像の複数箇所の明度を検出するとともに、明度の合計値又は平均値が所定の閾値以下となる場合に、表示手段に表示させる映像のエリアを変化させることを特徴とする。
この構成によれば、映像処理手段が、映像の複数箇所の明度を検出するとともに、明度の合計値又は平均値が所定の閾値以下となる場合に、表示手段に表示させる映像のエリアを変化させるため、１箇所の明度のみによって映像のエリアを変化させる場合と比較して、映像の視認性を的確に向上することができる。
【００１０】
請求項５に記載の発明は、請求項１又は２に記載の発明において、カメラが、広角撮像可能なレンズを有している一方、映像処理手段が、映像の複数箇所の明度を検出するとともに、検出点同士で明度を比較し、明度が所定の閾値以下であるか否かに加え、明度の比較結果にもとづき、電子パンチルト制御により表示手段に表示させる映像のエリアを変化させることを特徴とする。
この構成によれば、映像処理手段が、映像の複数箇所の明度を検出するとともに、検出点同士で明度を比較し、明度が所定の閾値以下であるか否かに加え、明度の比較結果にもとづき、電子パンチルト制御により表示手段に表示させる映像のエリアを変化させるため、映像の視認性を極めて的確に向上することができる。
【００１１】
また、上記目的を達成するために、本発明のうち請求項６に記載の発明は、玄関等に設置され、居住者を呼び出すためのインターホン子機と、居室内等に設置され、インターホン子機と通話可能に接続されたインターホン親機とからなり、インターホン子機に、来訪者を撮像するための撮像手段を設ける一方、インターホン親機に、撮像手段が撮像した映像を表示するための表示手段を設けたインターホン装置であって、インターホン親機に、映像のうち少なくとも一部のエリアを録画する録画手段を設ける一方、インターホン子機又はインターホン親機に、映像の少なくとも１箇所の明度を検出するとともに、当該明度が所定の閾値以下である場合に、録画手段に録画させる映像のエリアを変化させる映像処理手段を設けたことを特徴とする。
この構成によれば、映像処理手段が、映像の少なくとも１箇所の明度を検出するとともに、当該明度が所定の閾値以下である場合に、録画手段に録画させる映像のエリアを変化させるため、夜間等の周囲が暗いような場合でも、視認性に優れた映像を録画手段に録画することができる。
【００１２】
請求項７に記載の発明は、請求項６に記載の発明において、インターホン子機に、撮像手段による撮像範囲を照らす照明手段を設ける一方、映像処理手段は、映像の４箇所において明度を検出するとともに、全ての検出点における明度が所定の閾値以下である場合に、映像のうち検出点に囲まれたエリアのみを録画することを特徴とする。
この構成によれば、映像処理手段が、映像の４箇所において明度を検出するとともに、全ての検出点における明度が所定の閾値以下である場合に、映像のうち検出点に囲まれたエリア、すなわち照明手段により十分に照らされている可能性が高いエリアのみを録画するため、視認性がより優れた映像を録画することができる。
【００１３】
請求項８に記載の発明は、請求項６に記載の発明において、映像処理手段は、映像の複数箇所の明度を検出するとともに、明度の合計値又は平均値が所定の閾値以下となる場合に、録画手段に録画する映像のエリアを変化させることを特徴とする。
この構成によれば、映像処理手段が、映像の複数箇所の明度を検出するとともに、明度の合計値又は平均値が所定の閾値以下となる場合に、録画手段に録画する映像のエリアを変化させるため、１箇所の明度のみによって映像のエリアを変化させる場合と比較して、録画する映像の視認性を的確に向上することができる。
【００１４】
請求項９に記載の発明は、請求項６に記載の発明において、カメラが、広角撮像可能なレンズを有している一方、映像処理手段が、映像の複数箇所の明度を検出するとともに、検出点同士で明度を比較し、明度が所定の閾値以下であるか否かに加え、明度の比較結果にもとづき、電子パンチルト制御により録画手段に録画する映像のエリアを変化させることを特徴とする。
この構成によれば、映像処理手段が、映像の複数箇所の明度を検出するとともに、検出点同士で明度を比較し、明度が所定の閾値以下であるか否かに加え、明度の比較結果にもとづき、電子パンチルト制御により録画手段に録画する映像のエリアを変化させるため、録画する映像の視認性を極めて的確に向上することができる。
【発明の効果】
【００１５】
本発明によれば、映像処理手段が、映像の少なくとも１箇所の明度を検出するとともに、当該明度が所定の閾値以下である場合に、表示手段に表示させる映像のエリアを変化させたり、録画手段に録画させる映像のエリアを変化させたりするため、夜間等の周囲が暗いような場合でも、表示手段に表示される映像又は録画手段に録画する映像の視認性を向上することができる。
【発明を実施するための最良の形態】
【００１６】
以下、本発明の実施形態となるインターホン装置について、図面をもとに詳細に説明する。
【００１７】
（実施例１）
図１は、実施例１のインターホン装置１を示した説明図であり、図２は、インターホン装置１のブロック構成図である。
インターホン装置１は、玄関等に設置され、来訪者が居住者を呼び出す等するためのインターホン子機２と、居室内等に設置され、インターホン子機２からの呼び出しに応答するためのインターホン親機３とを通話可能に接続してなるものである。インターホン子機２は、インターホン親機３を呼び出すための呼出ボタン４、及びインターホン親機３との間で通話するためのマイク５やスピーカ６を備えている。また、インターホン子機２は、来訪者等を撮像するためのカメラ７、カメラ７による撮像範囲を照らす照明部材（たとえば、白色ＬＥＤ）８、カメラ７による撮像動作やインターホン親機３との間での通話動作、照明部材８の点灯動作等の各種動作を制御する子機制御部９、カメラ７が撮像した映像を変調等するための変調部１０、通話等に係る音声を処理するための子機音声部１１、インターホン親機３を接続するための子機インターフェイス１２等を備えている。
【００１８】
一方、インターホン親機３は、カメラ７が撮像した映像を表示するモニター１５、及びインターホン子機２との間で通話するための通話部１６を備えている。また、インターホン親機３は、モニター１５における表示動作やインターホン子機２との間での通話動作等の各種動作を制御する親機制御部１７、インターホン子機２から受信した映像を復調する復調部１８、映像の明度を判定したり、映像の所定エリアを拡大したり等する映像処理部１９、映像を録画する録画部２０、通話等に係る音声を処理するための親機音声部２１、インターホン子機２を接続するための親機インターフェイス２２等を備えている。尚、２３は、インターホン子機２からの呼び出しに応答するための通話ボタンや録画等に係る各種設定ボタンを含む操作ボタンである。
【００１９】
そして、上記インターホン装置１では、来訪者等がインターホン子機２の呼出ボタン４を操作すると、インターホン親機３が呼び出され、居住者等が操作ボタン２３を操作することにより、両者間での通話が可能となる。このとき、インターホン子機２では、呼出ボタン４の操作に伴い、照明部材８を点灯させるとともに、カメラ７による撮像を開始し、撮像された映像をインターホン親機３へと送信する。一方、インターホン親機３では、映像を受信すると、当該映像をモニター１５に表示する。また、インターホン親機３が操作ボタン２３により録画モードに設定されていた場合には、受信した映像を録画部２０に録画する。尚、インターホン子機２における照明部材８の点灯動作及びカメラ７の撮像動作、及びインターホン親機３における表示動作は、インターホン親機３における通話終了の操作（たとえば、通話ボタン２３を再び操作する等）により終了となる。また、呼出ボタン４が操作されたにも拘わらず応答のための操作が行われなかった場合には、呼出ボタン４が操作されてから所定時間の経過をもって動作終了となる。
【００２０】
ここで、本発明の要部となる撮像映像の表示制御について、図３及び図４をもとに説明する。図３及び図４は、モニター１５での映像の表示態様を示した説明図である。
まず、カメラ７が撮像した映像を、リアルタイムでモニター１５に表示する場合について説明する。インターホン親機３において、カメラ７により撮像された映像は、通常、図３に示す如く映像全体がモニター１５に表示されている。つまり、カメラ７により撮像される撮像範囲全体が表示エリアとされている。このような表示態様の場合、夜間等により周囲が暗いと画面全体が暗く感じられ、中央付近に写っている来訪者等が視認しづらいことがある。そこで、インターホン親機３の映像処理部１９では、受信した映像の所定の４点Ｐ１〜Ｐ４におけるＲ、Ｇ、Ｂの値（明度）を夫々検出し、各点Ｐ１〜Ｐ４におけるＲ、Ｇ、Ｂ各値が全て１５以下であるかを確認する。尚、一般的に映像の中央部分が明るくなることが多いため、本実施例では全体映像表示時におけるモニター１５の四隅に対応する映像データの点を明度の検出点として設定している。また、映像においてＲ、Ｇ、Ｂ各値の範囲は０〜２５５とされている。
【００２１】
そして、上記確認の結果、４点Ｐ１〜Ｐ４全てにおけるＲ、Ｇ、Ｂ各値が１５以下であった場合、映像処理部１９は、図４に示す如く映像全体のうち４点Ｐ１〜Ｐ４に囲まれた中央部分を表示エリアとして設定し、当該表示エリアをモニター１５に拡大表示する（すなわち、表示エリアを撮像範囲全体から中央部分へと変化させるという制御を行う）。
一方、上記確認の結果、４点のうち１点でもＲ、Ｇ、Ｂ各値が１５を超えている場合、映像処理部１９は、そのまま映像全体を表示させ、拡大表示等の表示エリアを変化させる制御は行わない。
【００２２】
次に、いったん録画部２０に録画された映像を、モニター１５に再生表示する場合の表示制御について説明する。
インターホン装置１では、インターホン親機３において録画モードに設定されていると、受信した映像を録画部２０に録画するようになっている。そして、映像を録画するにあたっては、映像処理部１９は、受信した映像全体（すなわち、撮像範囲全体の映像）を録画部２０に録画する。この録画映像を、インターホン親機３における操作に応じて再生表示する場合、映像処理部１９は、上記映像の表示同様、録画映像の所定の４点Ｐ１〜Ｐ４におけるＲ、Ｇ、Ｂの値（明度）を夫々検出し、各点Ｐ１〜Ｐ４におけるＲ、Ｇ、Ｂ各値が全て１５以下であるかを確認する。
【００２３】
そして、上記確認の結果、４点Ｐ１〜Ｐ４全てにおけるＲ、Ｇ、Ｂ各値が１５以下であった場合、映像処理部１９は、図４に示す如く録画映像のうち４点Ｐ１〜Ｐ４に囲まれた中央部分を表示エリアとして設定し、当該表示エリアをモニター１５に拡大表示する。
一方、上記確認の結果、４点のうち１点でもＲ、Ｇ、Ｂ各値が１５を超えている場合、映像処理部１９は、そのまま全体の録画映像を再生表示させ、拡大表示等の表示エリアを変化させる制御は行わない。
【００２４】
以上のような表示制御を行うインターホン装置１によれば、映像処理部１９において映像又は録画映像の明度判定を行い、その結果に応じて、映像又は録画映像の中央部分をモニター１５に拡大表示させるといった表示制御を行うため、たとえ夜間等であっても来訪者等が識別しづらいといった事態が生じず、映像の視認性を向上することができる。
【００２５】
（実施例２）
次に、本発明に係るインターホン装置の第２実施例について説明する。尚、第２実施例となるインターホン装置は、上記第１実施例のインターホン装置１と略同様に構成されるため、同じ構成要素については、同じ符号を付して説明する。
第２実施例となるインターホン装置は、上記第１実施例のインターホン装置１と比べると、録画部２０への録画及び録画映像の再生に係る制御が異なっており、インターホン子機２から受信した映像を録画する前に、受信した映像の所定の４点Ｐ１〜Ｐ４におけるＲ、Ｇ、Ｂの値（明度）を夫々検出し、各点Ｐ１〜Ｐ４におけるＲ、Ｇ、Ｂ各値が全て１５以下であるかを確認する。
【００２６】
上記確認の結果、４点Ｐ１〜Ｐ４全てにおけるＲ、Ｇ、Ｂ各値が１５以下であった場合、映像処理部１９は、映像全体のうち４点Ｐ１〜Ｐ４に囲まれた中央部分を録画エリアとして設定し、当該録画エリア内の映像のみを録画部２０に録画する（すなわち、録画エリアを撮像範囲全体から中央部分へと変化させるという制御を行う）。一方、上記確認の結果、４点のうち１点でもＲ、Ｇ、Ｂ各値が１５を超えている場合、映像処理部１９は、そのまま映像全体を録画し、上述したような録画エリアを変化させる制御は行わない。
そして、インターホン親機３における操作に応じて再生表示する場合、映像処理部１９は、録画部２０に録画されている映像をそのまま（すなわち、明度判定することなく）モニター１５に表示させる。したがって、録画時に周囲全体が暗いような場合には、図４に示すような中央部分が拡大された録画映像が再生表示される一方、四隅のうち一箇所でも明るいような場合には、図３に示すような撮像範囲全体が映り込んだ録画映像が再生表示される。
【００２７】
以上のような表示制御を行う第２実施例のインターホン装置によれば、映像処理部１９において映像の明度判定を行い、その結果に応じて、映像の中央部分を録画エリアとして設定し、当該録画エリア内の映像のみを録画部２０に録画するといった録画制御を行うため、録画映像において、たとえ夜間等であっても来訪者等が識別しづらいといった事態が生じず、映像の視認性を向上することができる。
【００２８】
なお、本発明に係るインターホン装置は、上記実施形態に記載の態様に何ら限定されるものではなく、インターホン子機２及びインターホン親機３に係る機構的な構成及び制御上での構成を、本発明の趣旨を逸脱しない範囲で、必要に応じて適宜変更することができる。
【００２９】
たとえば、上記第１実施例及び第２実施例では、全ての検出点において明度が所定の閾値を下回った場合にのみ、表示エリア又は録画エリアを変化させる構成としているが、一箇所でも明度が所定の閾値を下回った場合には、表示エリア又は録画エリアを変化させるようにしてもよい。また、全ての検出点における明度の合計値又は平均値が所定の閾値を上回っているか又は下回っているかにもとづき、表示エリア又は録画エリアの変化の要否を決定するように構成することも可能である。さらに、インターホン子機２とインターホン親機３との間でＹＵＶ方式により映像を送受信する場合には、輝度信号にもとづいて表示エリア又は録画エリアの変化の要否を決定すればよい。
【００３０】
また、明度が所定の閾値を上回っているかの明度判定に加え、検出点同士の明度を比較し、その比較結果に応じて、表示エリア又は録画エリアを変化させてもよい。たとえば、４点Ｐ１〜Ｐ４の明度を比較し、より明度の高い部分を中心に拡大する（たとえば、検出点Ｐ１の明度が最も高い場合、検出点Ｐ１寄りの点を拡大中心として設定する等）ように構成したり、カメラ７に備えるレンズを魚眼レンズ等の広角撮像可能なレンズにするとともに、映像処理部１９に電子パン・チルト機能をもたせることで、明度の比較に伴い、映像の表示エリア又は録画エリアを明度の高い側へずらす（たとえば、検出点Ｐ２、Ｐ４の明度が検出点Ｐ１、Ｐ３の明度よりも高い場合、表示エリア又は録画エリアを右方へずらす等）ように構成してもよい。尚、表示エリア又は録画エリアを上下左右へずらすにあたり、上記実施例の如く、照明部材８の設置位置等により常に右方が明るくなりがちなのであれば、明度の比較を行わずに、必ず右方へずらすような制御としてもよい。
【００３１】
さらに、映像処理部１９を、インターホン親機３ではなくインターホン子機２に設けてもよいし、検出点の位置や数等は、第１実施例及び第２実施例に記載のものに限定されることはなく、少なくとも一箇所の明度を判定すれば、上記効果を奏し得ることができる。
加えて、照明部材８を点灯させる制御についても変更可能であって、呼出ボタン４の操作に伴って常に点灯するのではなく、センサを用いたり、カメラ７が撮像した映像の明度を検出したりすることにより、子機制御部９が照明部材８の点灯の要否を決定するように構成することも可能である。
【図面の簡単な説明】
【００３２】
【図１】インターホン装置を示した説明図でありる。
【図２】インターホン装置のブロック構成図である。
【図３】モニターでの映像の表示態様を示した説明図である。
【図４】モニターでの映像の表示態様を示した説明図である。
【符号の説明】
【００３３】
１・・インターホン装置、２・・インターホン子機、３・・インターホン親機、７・・カメラ（撮像手段）、８・・照明部材（照明手段）、１５・・モニター（表示手段）、１９・・映像処理部（映像処理手段）、２０・・録画部（録画手段）。
【図１】
2010130334.tif 000003
【図２】
2010130334.tif 000004
【図３】
2010130334.tif 000005
【図４】
2010130334.tif 000006